(57)【特許請求の範囲】
【請求項１】
複数の移動局が共通チャネルを用いて任意のタイミングで基地局にアクセスを行うにあたり、移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムのパスタイミング検出方法であって、
基地局で受信したプリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とするステップと、
移動局から送信されたメッセージを用いて、前記同定したパスタイミングの範囲の中から有効なパスタイミングを検出するステップと
を具備したことを特徴とする移動通信システムのパスタイミング検出方法。
【請求項２】
複数の移動局が共通チャネルを用いて任意のタイミングで基地局にアクセスを行うにあたり、移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムの基地局装置であって、
受信したプリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とする同定手段と、
移動局から送信されたメッセージを用いて、前記同定したパスタイミングの範囲の中から有効なパスタイミングを検出する検出手段と
を具備したことを特徴とする移動通信システムの基地局装置。
【請求項３】
複数の移動局が共通チャネルを用いて任意のタイミングで基地局にアクセスを行う移動通信システムであって、
移動局は、
メッセージの送信に先立ち基地局に対してメッセージが発生したことを通知するプリアンブルを送信する手段を具備し、
基地局は、
移動局から送られたプリアンブルの受信に応答して、移動局のメッセージ送信を許可する送信制御信号を送信する手段と、
前記プリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とする同定手段と、
移動局から送信されたメッセージを用いて、前記同定したパスタイミングの範囲の中から有効なパスタイミングを検出する検出手段とを具備した
ことを特徴とする移動通信システム。
【請求項４】
複数の移動局が共通チャネルを用いて任意のタイミングで基地局にアクセスを行うにあたり、
移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムのパスタイミング検出処理手順として、
基地局で受信したプリアンブルに基づいて有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とするステップと、
移動局から送信されたメッセージを用いて前記同定したパスタイミングの範囲の中から有効なパスタイミングを検出するステップとを、
通信制御プログラムの形態で記憶したことを特徴とする記録媒体。
【発明の詳細な説明】
【０００１】
【発明の属する技術分野】
本発明は、移動通信システムのパスタイミング検出方法および基地局装置に関するものである。
【０００２】
さらに詳述すると、本発明は、ＣＤＭＡ移動通信システムのランダムアクセスにおけるパス検出処理などに適用可能な、移動通信システムのパスタイミング検出方法および基地局装置に関するものである。
【０００３】
【従来の技術】
従来から知られている移動通信システムの移動局は、メッセージの送信に先立ち基地局に対してメッセージが発生したことを通知するプリアンブルを送信し、基地局では、そのプリアンブルを用いて有効なパスタイミングの範囲を同定していた。
【０００４】
【発明が解決しようとする課題】
上述した通り、従来から知られている移動通信システムのランダムアクセスでは、プリアンブルのみを用いてパスタイミングの検出を行っていた。
【０００５】
しかしながら、プリアンブルのみを用いてパスタイミングの検出を行った場合には、プリアンブルは１ｍｓと短いことから、平均化が不十分であるのみならず、メッセージの受信までに時間差があること等の理由に起因して、パスタイミングの検出精度が劣化し、本当に有効なパスタイミングの検出に失敗する確率が増加する、という問題があった。
【０００６】
このように、従来から知られている移動通信システムのランダムアクセスにおけるパスタイミング検出方法は検出精度が低く、本当に有効なパスタイミングの検出が困難であるという避け難い問題があった。
【０００７】
よって、本発明の目的は上述の点に鑑み、パスタイミングの検出精度を改善すると共に、処理負荷の増加を極力軽減させるようにした、パスタイミング検出方法および基地局装置を提供することにある。
【０００８】
【課題を解決するための手段】
上記の目的を達成するために、請求項１に係る本発明は、複数の移動局が共通チャネルを用いて任意のタイミングで基地局にアクセスを行うにあたり、移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムのパスタイミング検出方法であって、基地局で受信したプリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とするステップと、移動局から送信されたメッセージを用いて、前記同定したパスタイミングの範囲の中から有効なパスタイミングを検出するステップとを具備したものである。
請求項２に係る本発明は、複数の移動局が共通チャネルを用いて任意のタイミングで基地局にアクセスを行うにあたり、移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムの基地局装置であって、受信したプリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とする同定手段と、移動局から送信されたメッセージを用いて、前記同定したパスタイミングの範囲の中から有効なパスタイミングを検出する検出手段とを具備したものである。
請求項３に係る本発明は、複数の移動局が共通チャネルを用いて任意のタイミングで基地局にアクセスを行う移動通信システムであって、移動局は、メッセージの送信に先立ち基地局に対してメッセージが発生したことを通知するプリアンブルを送信する手段を具備し、基地局は、移動局から送られたプリアンブルの受信に応答して、移動局のメッセージ送信を許可する送信制御信号を送信する手段と、前記プリアンブルに基づいて、有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とする同定手段と、移動局から送信されたメッセージを用いて、前記同定したパスタイミングの範囲の中から有効なパスタイミングを検出する検出手段とを具備したものである。
請求項４に係る本発明は、複数の移動局が共通チャネルを用いて任意のタイミングで基地局にアクセスを行うにあたり、移動局はメッセージの送信に先立ち基地局に対してメッセージが発生したことを通知するプリアンブルを送信し、基地局は該プリアンブルの受信に応答して移動局のメッセージ送信を許可する送信制御信号を送信し、該送信制御信号を受信した移動局はメッセージの送信を開始する、移動通信システムのパスタイミング検出処理手順として、基地局で受信したプリアンブルに基づいて有効なパスタイミングの範囲を同定するに際して、基地局で受信したプリアンブルに基づいて検出したパスの内、時間的に最も早いパスのタイミングから第１の時間だけ遡ったタイミングを始点とし、時間的に最も遅いパスのタイミングから第２の時間だけ遅れたタイミングを終点として、該始点と該終点との間を該有効なパスタイミングの範囲とするステップと、移動局から送信されたメッセージを用いて前記同定したパスタイミングの範囲の中から有効なパスタイミングを検出するステップとを、通信制御プログラムの形態で記憶した記録媒体である。
【００１６】
【発明の実施の形態】
以下、図面を参照して、本発明の一実施の形態を詳細に説明する。
【００１７】
図１は、本発明を適用した移動通信システムの全体構成を示す。本図において、２は基地局アンテナ、４は増幅回路およびその他の処理回路である。６は、受信したプリアンブルＡを用いて、有効なパスタイミングの範囲（図３参照：後に詳述する）を同定するプリアンブル検出部である。８は、受信したプリアンブルＡに応答して、メッセージの送信を許可／禁止する送信制御信号Ｂを移動局に発するための送信制御信号発生部である。１０は、同定したパスタイミングの範囲の中から実際に有効なパスタイミングを検出するためのサーチャである。１２は、サーチャ１０により検出されたタイミングに応答して作動するＲＡＫＥ合成部である。１４は、本基地局のパス検出手順（図２参照：後に詳述する）を記憶した記憶媒体（ＲＯＭ）を備えた制御部である。２０は、基地局全体を示す。３０は、一つの移動局を示す。
【００１８】
次に、図２および図３を参照しながら、基地局２０におけるパス検出の処理動作を説明する。
【００１９】
まず、移動局３０から送信されたプリアンブルを受信すると（ステップＳ１）、プリアンブル検出部６は、メッセージの送信許可の可否を判定し、プリアンブルを送信した移動局３０に対して送信制御信号を送信するよう、送信制御信号発生部８に指示を与える（ステップＳ２，Ｓ３，Ｓ４）。すなわち、ステップＳ２での判定の結果、メッセージ送信を禁止する場合は、その移動局３０に対してメッセージ送信を禁止する送信制御信号を送信し（ステップＳ３）、基地局２０は再度プリアンブルを受信するまで待機する。
【００２０】
他方、メッセージ送信を許可する場合は、その移動局３０に対してメッセージ送信を許可する送信制御信号を送信し（ステップＳ４）、受信したプリアンブルを用いて有効なパスタイミングの範囲を同定する（ステップＳ５：図３を参照して、後に詳述する）。
【００２１】
メッセージ送信を許可する送信制御信号を受信した移動局３０はメッセージを送信する。基地局２０ではそのメッセージを受信して蓄積し（ステップＳ６）、サーチャ１０は上記同定した範囲（図３参照）の中で有効なパスタイミングの検出を行う（ステップＳ７）。すなわち、サーチャ１０は、受信したメッセージを整合フィルタ（図示せず）に入力し、プリアンブル検出部６で同定したパスタイミングの範囲をサーチ範囲として、整合フィルタ出力を算出する。この整合フィルタ出力で観測された、複数のピーク値が表れるタイミングを有効なパスのタイミングとして検出する。このように有効なパスタイミングの検出を行い、そのパスタイミングをＲＡＫＥ合成部１２に引き渡す。
【００２２】
次に、図３を参照して、ステップＳ５におけるパスタイミング範囲の同定処理について詳述する。この図３は、基地局２０における有効なパスと、有効なパスタイミングの範囲の関係を示す。基地局２０がプリアンブルを受信すると、図３のように有効なパスの検出を行う。その検出の結果、有効なパスのうち、時間的に最も早いパスのタイミングより早い方向（図３の左方向）へαマイクロ秒だけ離れたタイミングの点を始点とし、かつ、時間的に最も遅いパスのタイミングよりβマイクロ秒だけ遅れたタイミングを終点として、この始点と終点の間を、有効なパスタイミングの範囲とする。
【００２３】
【発明の効果】
以上説明した通り、本発明によれば、パスタイミングの検出精度を改善すると共に、セル半径に応じた全サーチ範囲からパスタイミングを検出する場合に比べて処理負荷を軽減することができる。より具体的には、以下に列挙する格別な効果を奏することができる。
▲１▼プリアンブルのみを用いてパスタイミング検出を行う従来の場合より検出精度を改善することで、より効率的なパスタイミングの検出を行うことができる。すなわち、従来のプリアンブルのみを用いたパスタイミング検出方法に対して、本発明では、まずプリアンブルを用いて有効なパスタイミングの範囲を同定し、その後メッセージの受信に際して、同定したパスタイミングの範囲の中から有効なパスタイミングの検出を行うこととしているので、プリアンブルのみでパス検出を行う従来の場合よりも精度の高いパスタイミングの検出が可能となる。また、プリアンブルの受信に際してサーチ範囲を同定しているので、セル半径に応じた全サーチ範囲からパスタイミングを検出する場合よりも、処理負荷を軽減することが可能となる。
▲２▼プリアンブルを用いて検出した有効なパスのタイミング範囲から、ある時間間隔だけ離れたタイミングを有効なパスタイミングの範囲として同定することにより、限られたサーチ範囲でのパスタイミング検出における見逃し率を小さくすることができる。
【図面の簡単な説明】
【図１】本発明を適用した移動通信システムの全体構成図である。
【図２】基地局で行うパス検出処理手順を示したフローチャートである。
【図３】有効なパスタイミング範囲の同定方法を示した説明図である。
【符号の説明】
２    基地局アンテナ
４    増幅回路およびその他の処理回路
６    プリアンブル検出部
８    送信制御信号発生部
１０    サーチャ
１２    ＲＡＫＥ合成部
１４    制御部
２０    基地局
３０    移動局
【図１】
0003554240.tif 000002
【図２】
0003554240.tif 000003
【図３】
0003554240.tif 000004